(57)【特許請求の範囲】
【請求項１】
少なくとも３個の脚を有する脚台と、
前記脚台の中央部から垂直方向に突設した外側パイプと、
高さ調整のため前記外側パイプに対して軸線方向に抜差移動可能な内側パイプと、
前記外側パイプに対する内側パイプの抜差移動をロックするロック手段と、
前記内側パイプの頂部に固定した用具支持ヘッドと
を具えた支持スタンドにおいて、前記ロック手段を、
前記外側パイプ内に同心状に配置した芯棒であって、この芯棒の下端を前記外側パイプの下端に固定した芯棒と、
前記芯棒の周囲に摺動自在に嵌挿したメッシュスリーブを有し、下側及び上側の端部にそれぞれ摺動ブッシュを連結し、これら下側及び上側の摺動ブッシュ間で前記メッシュスリーブの周りに配置したコイルばねによってメッシュスリーブを伸展収縮させ、平素このメッシュスリーブが芯棒を密着把持するようにし、また前記下側摺動ブッシュを前記内側パイプの下端に固着したメッシュスリーブ手段と、
前記上側摺動ブッシュの上方で前記芯棒に嵌挿しかつ前記内側パイプ内に遊嵌させたスペーサチューブと、
前記内側パイプの上端の近傍で前記内側パイプの周囲に設けた操作スリーブであり、前記内側パイプの上端の近傍で互いに直径方向に対向する位置に設けた軸線方向に細長い長孔に貫通するクロスピンを介して制限された範囲で軸線方向に移動自在に前記内側パイプに連結し、無負荷状態では重力の下で下限位置に移動し、この下限位置でクロスピンが前記スペーサチューブの上端面に接触するようにした操作スリーブと
により構成したことを特徴とする用具支持スタンド。
【請求項２】
前記脚台の各脚を折り畳み可能にした請求項１記載の用具支持スタンド
【請求項３】
前記脚台の各脚にキャスターを設け、キャスターのうちの１個は向きが固定であり、残りのキャスターは任意の向きに自在に転向するものとした請求項１又は２記載の用具支持スタンド。
【請求項４】
前記キャスターのうち少なくとも向きが自在に転向可能なキャスターは、転動可能状態と転動不能状態にする切替手段を有するものとして構成した請求項３記載の用具支持スタンド。
【発明の詳細な説明】
【０００１】
【発明の属する技術分野】
本発明は、少なくとも３個の脚を有する脚台と、前記脚台の中央部から垂直方向に突設した外側パイプと、高さ調整のため前記外側パイプに対して軸線方向に抜差移動可能な内側パイプと、前記外側パイプに対する内側パイプの抜差移動をロックするロック手段と、前記内側パイプの頂部に固定した用具支持ヘッドとを具えた用具支持スタンドに関するものである。
【０００２】
【従来の技術】
このような用具支持スタンドとしては、点滴液収納バッグ又はびん等の医療用具支持スタンド、又はマイク支持スタンドがある。これら用具支持スタンドのロック手段に関しては、外側パイプと内側パイプとの間の締付けスリーブ又は締付ねじを緩めて抜差しの高さを調整し、調整位置で締付けスリーブ又は締付ねじを再び締め付けてロックするものがある。
【０００３】
【発明が解決しようとする課題】
例えば、従来の点滴液収納バッグ又はびん等の用具支持スタンドにおいては、内側パイプの抜き差しの高さ調整のためには、一方の手で内側パイプを持ち、他方の手で締付けスリーブ又は締付けねじを緩め、一方の手で内側パイプを好みの高さになるよう昇降させ、最後に、調整した高さでの他方の手による締付作業が必要である。
【０００４】
しかし、点滴を受ける患者の片方の腕には点滴用の針が刺さっており、患者自身が両手を使って点滴バッグ又はびんの支持スタンド高さを調整するのは面倒かつ困難である。
【０００５】
従って、本発明の目的は、用具支持スタンド、特に、看護婦又は医師が、また点滴を受けている患者本人であっても、片手で簡単に支持スタンドの高さを調整することができる点滴液容器又はマイク支持スタンド等の用具支持スタンドを得るにある。
【０００６】
【課題を解決するための手段】
この目的を達成するため、本発明用具支持スタンドは、
前記ロック手段を、
前記外側パイプ内に同心状に配置した芯棒であって、この芯棒の下端を前記外側パイプの下端に固定した芯棒と、
前記芯棒の周囲に摺動自在に嵌挿したメッシュスリーブを有し、下側及び上側の端部にそれぞれ摺動ブッシュを連結し、これら下側及び上側の摺動ブッシュ間で前記メッシュスリーブの周りに配置したコイルばねによってメッシュスリーブを伸展収縮させ、平素このメッシュスリーブが芯棒を密着把持するようにし、また前記下側摺動ブッシュを前記内側パイプの下端に固着したメッシュスリーブ手段と、
前記上側摺動ブッシュの上方で前記芯棒に嵌挿しかつ前記内側パイプ内に遊嵌させたスペーサチューブと、
前記内側パイプの上端の近傍で前記内側パイプの周囲に設けた操作スリーブであり、前記内側パイプの上端の近傍で互いに直径方向に対向する位置に設けた軸線方向に細長い長孔に貫通するクロスピンを介して制限された範囲で軸線方向に移動自在に前記内側パイプに連結し、無負荷状態では重力の下で下限位置に移動し、この下限位置でクロスピンが前記スペーサチューブの上端面に接触するようにした操作スリーブと
により構成したことを特徴とする。
【０００７】
本発明用具支持スタンドのロック手段によれば、従来のようなねじ作用クランプ手段を設ける必要がなくなる。即ち、内側パイプの上端の操作スリーブを片手で持って内側パイプを外側パイプに対して引き抜くと、この内側パイプの下端に連結したメッシュスリーブ手段の下端摺動ブッシュを、外側パイプに固着した芯棒上で上方に摺動する。この下側摺動ブッシュの上方摺動に伴ってメッシュスリーブの収縮がゆるまりつつ、また上側摺動ブッシュもコイルばねの押圧力によって芯棒上を上方に摺動する。操作スリーブを手離すと、このときの内側パイプの引き出し位置でメッシュスリーブはコイルばねの作用により再び伸展収縮して芯棒に密着し、この状態を保持する。
【０００８】
片手で操作スリーブを持って内側パイプを外側パイプ内に引っ込めようとするとき、操作スリーブ内のクロスピンがスペーサチューブを介してメッシュスリーブの上側摺動ブッシュをコイルばねの力に抗して押し下げる。これによりメッシュスリーブの収縮がゆるんで、メッシュスリーブ及び下側摺動ブッシュ、並びに内側パイプは、外側パイプに固着した芯棒に沿って下方に摺動する。次に操作スリーブを手離すと、コイルばねの作用によりメッシュスリーブは再び伸展収縮し、芯棒に密着して自動的に停止しこの状態を保持する。
【０００９】
本発明の好適な実施例においては、脚台の各脚にキャスターを設け、キャスターのうちの１個は向きが固定であり、残りのキャスターは任意の向きに自在に転向するものとする。更に、好適には、キャスターのうち少なくとも向きが自在に転向可能なキャスターは、転動可能状態と転動不能状態にする切替手段を有するものとして構成する。
【００１０】
【発明の実施の形態】
次に、図面につき本発明の好適な実施の形態を説明する。
【００１１】
図１に本発明の好適な実施の形態としての点滴液容器支持スタンド１は、図１に示すように、３個のキャスターを設けた脚台２と、脚台２の中央部から垂直方向に突設した外側パイプ４と、この外側パイプ４に対して軸線方向に抜差移動可能な内側パイプ５と、外側パイプ４に対する内側パイプ５の抜差移動をロックするロック手段（後に詳細に説明する）のための操作スリーブ６と、内側パイプ５の頂部に設けたアーム付きヘッド７とを有し、このアーム付きヘッド７のアーム７Ａには、点滴液容器を引っ掛けるフック部７Ｂを設ける。
【００１２】
キャスター３は３個だけではなく、それ以上の数のキャスターを設けた脚台２とすることができ、またこれら複数個のキャスター３のうちの１個は向きが固定のものとし、残りのキャスターは向きが自在に転向できるものとすると、方向が安定した搬送を行なうことができて好適である。更に、キャスター３のうち少なくとも向きが自在に転向可能なキャスターは、転動可能状態と転動不能状態にする切替手段を有するものとして構成すると、支持スタンドの不慮の移動を防止することができて好適である。
【００１３】
外側パイプ４は、例えば、図２に示すように、脚台２の中央部８に止めねじ９により固定するか、又は図示しないが、外側パイプ４の下端に設けた雄ねじ部を脚台の雌ねじ付き盲孔にねじ付るか、又は、脚台を貫通する雌ねじ孔にねじ付けて雌ねじ孔から下方に突出した雄ねじ部にナットを締め付けて固定する。更に、他の任意の方法で脚台２に外側パイプ４を固定することもできる。
【００１４】
この外側パイプ４の下端の内部には、図４に明示する芯棒１０の支持ブロック１１をねじ付けて固定する。芯棒１０には、外側パイプ４内に挿入した内側パイプ５（図２では図面をわかりやすくするため図示しない）の最下端位置での緩衝ブッシュ１２を配置する。芯棒１０の支持ブロック１１に対する固着は任意の方法で行うことができ、例えばねじ付けにより固着する。
【００１５】
更に、外側パイプ４には、点滴に必要な器具を保持するトレイ等（図示せず）を取付可能にしておくと好適である。
【００１６】
図３には、内側パイプの抜差移動をロックするロック手段を操作するため内側パイプ５の上端の近傍に取り付けた操作スリーブ６と、点滴液容器を支持するため内側パイプ５の頂部に取り付けるアーム付きヘッド７の詳細を示す。
【００１７】
この操作スリーブ６は、内側パイプ５の上端の近傍で互いに直径方向に対向する位置に形成した軸線方向に細長い長孔１３に貫通するクロスピン１４を有し、内側パイプ５に対して制限された範囲内で軸線方向に移動自在にする。無負荷状態では重力の下で下限位置に達し、後に説明するスペーサスリーブ１９の上端面にクロスピン１４が接触する。
【００１８】
図４に示すように、外側パイプ４の上端には、内側パイプの上限位置及び下限位置を規定するとともに内側パイプをガタなく案内するガイドチューブ４Ａを保持するためのストッパ兼ガイド手段４Ｂを固着する。
【００１９】
図４には本発明のロック手段を示す。図４に示すように、このロック手段は、外側パイプ４の下端に支持ブロック１１を介して固着した芯棒１０と、メッシュスリーブ手段１５とにより構成する。
【００２０】
このメッシュスリーブ手段１５は、芯棒１０の周囲に摺動自在に嵌挿したメッシュスリーブ１６とこのメッシュスリーブ１６の下端及び上端に固着した摺動ブッシュ１７Ａ、１７Ｂと、これら摺動ブッシュ１７Ａ、１７Ｂ間でメッシュスリーブ１６の周囲に配置したコイルばね１８とによって構成する。このコイルばね１８は、下側摺動ブッシュ１７Ａを下方に、また上側摺動ブッシュ１７Ｂを上方に押圧することによってメッシュスリーブ１６を伸展収縮させ、このメッシュスリーブ１６が芯棒１０に密着してこれをしっかりと把持する。
【００２１】
このメッシュスリーブ手段１５の下側摺動ブッシュ１７Ａを内側パイプ５の下端に固着する。また上側摺動ブッシュ１７Ｂの上方にはスペーサスリーブ１９を配置する。このスペーサスリーブ１９は芯棒１０の周囲に遊嵌する。
【００２２】
このロック手段は、平素内側パイプ５に下端を固着したメッシュスリーブ１６の伸展収縮により、外側パイプ４に固着した芯棒１０を把持して外側パイプ４に対する内側パイプ５の相対移動をロックする。しかし、内側パイプ５の上端に設けた操作スリーブ６を持って上方に引き出すとき、これと同時に下側摺動ブッシュ１７Ａがコイルばね１８のばね力に抗して上方に移動し、これによりメッシュスリーブ１６の収縮がゆるみ内側パイプ５はメッシュスリーブ手段１５とともに芯棒１０に沿って上方に移動する。
【００２３】
操作スリーブ６を持つ手を離すと、コイルばね１８の作用によってメッシュスリーブ１６は再び伸展収縮し、この位置で自動的に停止し、この状態にロックする。逆に操作スリーブ６を持って内側パイプ５を外側パイプ４内に押し込むときは操作スリーブ６内のクロスピン１４がスペーサスリーブ１９を介してメッシュスリーブ手段１５の上側摺動ブッシュ１７Ｂをコイルばね１８のばね力に抗して押し下げ、これによりメッシュスリーブ１６の収縮がゆるみ、メッシュスリーブ手段１５及び内側パイプ５は芯棒１０に沿って下方に摺動する。
【００２４】
次に、操作スリーブ６を手離すと、上述したのと同様にコイルばね１８の作用によりメッシュスリーブ１６を再び伸展収縮させ、芯棒１０に密着し内側パイプ５の芯棒１０に対する、従って外側パイプ４に対する移動が自動的にロックされる。
【００２５】
上述の実施の形態では、キャスター付きの点滴液容器支持スタンドについて説明したが、他の用具支持スタンドとすることもできる。例えば、脚台はキャスターを持たない脚を折り畳み式にし、用具をマイクとし、マイク支持ヘッドを有するマイク支持スタンドとすることもできる。又は、用具を譜面とし、支持ヘッドを譜面立て支持ヘッドとした譜面支持スタンドとすることもできる。
【００２６】
【発明の効果】
本発明用具支持スタンド、特に、点滴液容器支持スタンドによれば、従来のように、締付けねじを緩めてから所望の調整を行い、次に締付けねじの締付けを行うことなく、点滴液容器支持スタンドの高さを片手で簡単に調整し、また調整位置に保持できる。従って、点滴針を腕に留置されて点滴を受ける患者本人であっても容易に調整することができる。
【００２７】
本発明用具支持スタンドは、点滴液容器だけでなく、種々の医療用具の支持にも適用でき、更に他の任意の用具に適合する支持ヘッドを設けることによって、高さ調整を必要とする種々の支持スタンドにも適用することができる。
【図面の簡単な説明】
【図１】  本発明点滴液容器支持スタンドの実施の形態の斜視図である。
【図２】  本発明点滴液容器支持スタンドの脚台部分の一部断面とする側面図である。
【図３】  本発明点滴液容器支持スタンドのロック手段のための操作スリーブ及びアーム付きヘッドを示す一部断面とする側面図である。
【図４】  本発明による支持スタンドのロック手段の芯棒及びメッシュスリーブ手段、並びにスペーサチューブを示す説明図である。
【符号の説明】
１  点滴液容器支持スタンド
２  脚台
３  キャスター
４  外側パイプ
５  内側パイプ
６  操作スリーブ
７  アーム付きヘッド
８  脚台中央部
９  止めねじ
１０  芯棒
１１  支持ブロック
１２  緩衝ブッシュ
１３  長孔
１４  クロスピン
１５  メッシュスリーブ手段
１６  メッシュスリーブ
17A,17B 摺動ブッシュ
１８  ばね
１９  スペーサスリーブ
【図１】
0004090790.tif 000002
【図２】
0004090790.tif 000003
【図３】
0004090790.tif 000004
【図４】
0004090790.tif 000005